(57)【要約】【課題】枠体にメッシュを取付けたメッシュパネルを垂直に起立したスタッドを介して配列・包囲してなるメッシュ間仕切り装置であって、内部に設置されるコンピュータのケーブルが床面に存在しないように床下に収容することが出来るメッシュ間仕切り装置の床構造の提供。【解決手段】メッシュ間仕切り装置が設置される床のベース面１６には取外し可能な床パネル１４を支柱１５，１５・・の上端に備えた脚体１３，１３・・を縦方向及び横方向に配列し、ベース面１６と床パネル１４との間に床下空間１１を形成している。【選択図】        図３
2004293236.tif 000002
【特許請求の範囲】
【請求項１】
枠体にメッシュを取付けたメッシュパネルを垂直に起立したスタッドを介して配列・包囲して成るメッシュ間仕切り装置において、上記スタッドは本体と押えの２ピース構造として該スタッドの下端部に掛架した横桟にはメッシュパネルを載置してネジ止めし、又メッシュパネルの縦桟を本体と押えで挟み込んでネジ止めすると共に上桟は笠木にネジ止めし、そして上記横桟は床面との間に床パネルを外すことが出来る大きさの隙間を形成し、床のベース面には取外し可能な床パネルを支柱上端に備えた脚体を縦方向及び横方向に配列することで床下空間を形成したことを特徴とするメッシュ間仕切り装置。
【請求項２】
枠体にメッシュを取付けたメッシュパネルを垂直に起立したスタッドを介して配列・包囲して成るメッシュ間仕切り装置が設置される床構造において、床のベース面には取外し可能な床パネルを支柱上端に備えた脚体を縦方向及び横方向に配列することで床下空間を形成したことを特徴とするメッシュ間仕切り装置の床構造。
【発明の詳細な説明】
【０００１】
【発明の属する技術分野】
本発明はポストコンピューターを収容する為のメッシュ間仕切り装置、及び該メッシュ間仕切り装置を設置する床構造に関するものである。
【０００２】
【従来の技術】
近年では、会社、大学、研究所等には大型のコンピュータが設置されているのが常であり、このコンピュータは会社などの心臓部とも言える部分であって、多くの情報が記録され、又該コンピュータから情報を発信したり、各種情報が仕事に広く使用されている。今日、コンピュータ無しに仕事をすることが不可能な時代となっている。
【０００３】
そこで、該コンピュータは会社の特別な部屋に設置され、しかも該部屋を間仕切りで仕切った間仕切り装置に収容されている。これは部外者が無断でコンピュータ室に侵入出来ないようにしている為である。しかし、間仕切りで完全に仕切ってしまう場合には、仕切られた内部も別に空調を行なわなくてはならず、その為に空調装置を別途設置する必要がある。
【０００４】
又、従来の間仕切りにて仕切られた空間にコンピュータを設置する場合、ガラスパネルであっても外から内部を完全に見ることは出来ず、無断で侵入しても死角によって分からないことがあり、防犯上の問題もある。そして、金属製パネルやガラスパネルを用いた間仕切りの場合、そのパネル重量は非常に大きくて、地震で間仕切りが倒壊するならばコンピュータを破損してしまう危険性も残されている。
【０００５】
そこで、コンピュータを収容する間仕切り装置はメッシュパネルにて構成し、部外者の侵入を防止すると共に間仕切り装置内を特別に空調する必要がないようにしている。特開２００１−２５７５２６号に係る「メッシュ間仕切り装置及びメッシュパネル」は従来技術の代表である。このメッシュ間仕切り装置は
「枠体にメッシュを取付けたメッシュパネルを垂直に起立したスタッドを介して配列して成るメッシュ間仕切り装置であって、上記スタッドは本体と押えの２ピース構造とし、メッシュパネルの側桟を本体と押えで挟み込むと共に側桟に形成した止着片を本体にネジ止めして構成している。」
【０００６】
一方、コンピュータからは数多くの太いケーブルが延びていて、これらケーブルは床面をはっている。従って、メッシュ間仕切り装置内に人が入って作業する場合には足元にある太いケーブルが邪魔になり、転ぶこともある。又ケーブルが床面にあることでコンピュータの設置も制約されてしまう為に、従来では床を２重構造として床面下に空間を形成した床構造も知られている。
【０００７】
しかし、床を２重構造とするには多くの施工費がかかり、建物を建設する際にはメッシュ間仕切り装置をフロアーの何処に設置するかが分からない場合が多い。このような段階で、フロアー全体に空間を形成した２重構造とすることは施工費が嵩んで無駄であり、又単なる２重構造の空間にケーブルを収容することも容易でない。
【０００８】
【発明が解決しようとする課題】
このように従来のメッシュ間仕切り装置の床面構造には上記のごとき問題がある。本発明が解決しようとする課題はこれら問題点であり、床下空間を形成した２重構造が簡単に作ることが出来、しかもケーブルの収納が簡単に出来る床構造を提供する。
【０００９】
【課題を解決する為の手段】
本発明に係るメッシュ間仕切り装置の床は２重構造とし、床面下方には空間が形成され、この空間にコンピュータから延びるケーブルが収容される。ここで、２重床構造とするにおいて、本発明は複数脚体を配列して構成し、該脚体は支柱の上端に床パネルを備えたものである。従って、角型の床パネルは縦方向及び横方向に配列されて床面が構成される。そして、床パネルは取外すことが出来、取外すならば支柱が起立する空間が開放される。
【００１０】
ケーブルは床パネルを取外すことで、床下空間に収容される。ここで床面上に据付けられるメッシュ間仕切り装置は、枠体にメッシュを取付けたメッシュパネルを垂直に起立したスタッドを介して配列・包囲して構成される。スタッドは本体と押えの２ピース構造として該スタッドの下端部に掛架した横桟にはメッシュパネルを載置してネジ止めし、又メッシュパネルの縦桟を本体と押えで挟み込んでネジ止めすると共に上桟は笠木にネジ止めされる。そして上記横桟は床面との間に床パネルを外すことが出来る大きさの隙間を形成している。以下、本発明に係る実施例を図面に基づいて詳細に説明する。
【００１１】
【実施例】
図１はメッシュ間仕切り装置の一部正面図であり、複数枚のメッシュパネル１，１…は垂直に起立するスタッド２，２…を介して倒れないように配列されている。スタッド２は床固定ベースに起立しているアジャスターネジに螺合しているナットにて適当な高さに支持され、スタットの下端部には横桟が取付けられ、該横桟には上記メッシュパネルが載って固定され、スタッドの上端には笠木が取着されると共に、該笠木にメッシュパネルの上桟が固定される。
【００１２】
このメッシュ間仕切り装置は室内空間を仕切って設けられ、間仕切り内にはコンピュータ等が設置される。間仕切り装置で仕切られた特別な空間は、誰でも入ることが出来ないようにドアはロックされ、仮に侵入した場合にはメッシュを通して見ることが出来るようになっている。又パネルはメッシュパネルである為に、室内と同じ雰囲気に保たれて別に空調装置は不要となる。
【００１３】
図２はメッシュ間仕切り装置の横断面と縦断面を示している。同図の３は横桟であり、該横桟３は両スタッド２，２に跨って、スタッド下端部に固定したはＬ型金具（図示なし）に横桟３の両端が取着される。メッシュパネル１は上桟４、下桟５及び両縦桟６，６にて枠組された枠体にメッシュが取付けられて構成され、そして横桟３に載置されてネジ止めされると共に、縦桟６，６はスタッド２，２にネジ止めされ、又上桟４は笠木７にネジ止めされている。
【００１４】
このメッシュパネル１はスタッド２，２に挟まれ、両縦桟６，６は該スタッド２，２にネジ止めされるが、スタッド２は本体と押えの２ピース構造とし、メッシュパネル１の縦桟６，６は本体と押えにて挟まれている。
【００１５】
そして、上記スタッド２は床面に起立しているが、その下端は床面に固定された床固定ベース８に嵌ってネジ止めされている。床固定ベース８は底面に対して垂直に起立した背面と両側面を有し、該スタッド２は背面と両側面に挟まれて位置決めされ、そして底面から起立しているアジャスターネジ９に螺合しているナット１０によって適当な高さに支えられている。
【００１６】
図３は本発明の床構造の実施例を示している断面図である。同図に示すように、床底には床下空間１１が形成され、この床下空間１１にコンピュータから延びるケーブル１２，１２・・が収容される。図４は本発明の床構造を構成する脚体１３であり、この脚体１３は正方形の床パネル１４のコーナーを４本の支柱１５，１５・・にて支えて構成している。支柱１５，１５・・はベース面１６に垂直に起立し、支柱下端には基板１７，１７・・を備えている。そしてこれら４本の支柱１５，１５・・の上端に床パネル１４が載置され、該床パネル１４は支柱１５，１５・・から分離可能と成っている。
【００１７】
ところで、上記脚体１３，１３・・はベース面１６に規則正しく配列され、床パネル１４，１４・・は縦方向及び横方向に配置されてメッシュ間仕切り装置の床面を構成する。この上に上記床固定ベース８，８・・が所定の位置に取着され、この床固定ベース８，８・・にスタッド２，２・・を起立し、スタッド間に掛架した横桟３，３・・にメッシュパネル１，１・・を載置すると共にネジ止めして取着される。このように、スタッド２，２・・を介してメッシュパネル１，１・・を取付けてメッシュ間仕切り装置が構成され、内部にはコンピュータが設置される。
【００１８】
そして、図３からも明らかなように、スタッド２，２・・の下端部に掛架される横桟３，３・・は床パネル１４，１４・・との間に隙間１８，１８・・を残して取付けられる。この隙間１８，１８・・を設けることで床パネル１４，１４・・を取外すことが出来、ケーブル１２，１２・・の収納作業を容易にする。勿論、如何なる箇所の床パネル１４，１４・・も取外し出来る為に、ケーブル１２，１２・・を床下空間１１に手軽に収容することが可能である。
【００１９】
以上述べたように、本発明のメッシュ間仕切り装置は床面との間に隙間を残し、又床下には床下空間を設けると共に床パネルは着脱可能としたものであり、次のような効果を得ることが出来る。
【００２０】
【発明の効果】
本発明のメッシュ間仕切り装置はメッシュパネルを配列して構成している為に、該メッシュ間仕切り装置にて仕切られた空間は完全密閉されることはなく、間仕切り内に別途空調設備を備えなくてよく、室内の空調を兼用出来る。そしてメッシュパネルで仕切られた内部は視認性が確保され、無断で入ることが出来ないコンピュータ室等のセキュリティゾーンにおいて、死角を作ることなく区画することが出来る。
【００２１】
そして、メッシュ間仕切り装置が設置される床は、床パネルを縦方向及び横方向に配列して構成され、該床パネルはベース面から起立した支柱の上端に載置されている。そして、該床パネルは取外すことが出来、床パネルの下方に形成した床下空間が開口される為に、コンピュータから延びるケーブルを該床下空間に収容することが簡単に出来る。
【００２２】
床パネルは角形パネルであって、任意の場所にて取外してケーブルを収容した後で取付けることが出来る。そして、メッシュ間仕切り装置のメッシュパネルが載置される横桟は床パネルとの間に隙間が残され、従って、この場所においての床パネルの取り外しが可能となり、ケーブルの収容作業を容易に行なうことが出来る。
【図面の簡単な説明】
【図１】メッシュ間仕切り装置の一部正面図。
【図２】メッシュ間仕切り装置の横断面と縦断面。
【図３】メッシュ間仕切り装置が設置される床構造。
【図４】床を構成する脚体。
【符号の説明】
１  メッシュパネル
２  スタッド
３  横桟
４  上桟
５  下桟
６  縦桟
７  笠木
８  床固定ベース
９  アジャスターネジ
１０  ナット
１１  床下空間
１２  ケーブル
１３  脚体
１４  床パネル
１５  支柱
１６  ベース面
１７  基板
１８  隙間
【図１】
2004293236.tif 000003
【図２】
2004293236.tif 000004
【図３】
2004293236.tif 000005
【図４】
2004293236.tif 000006